(57)【要約】【課題】カード挿入口の周辺にスキミングを防止するための構成を容易に設けることを可能とする技術が提供されることが望まれる。【解決手段】カード挿入口が設けられた第１のパーツと、前記第１のパーツが取り付けられる基本面を有する第２のパーツと、を備え、前記第１のパーツは、前記第２のパーツと別パーツによって構成される、自動取引装置が提供される。【選択図】図１
2018010600.tif 000002
【特許請求の範囲】
【請求項１】
カード挿入口が設けられた第１のパーツと、
前記第１のパーツが取り付けられる基本面を有する第２のパーツと、を備え、
前記第１のパーツは、前記第２のパーツと別パーツによって構成される、
自動取引装置。
【請求項２】
前記第１のパーツは、凸面部を有しており、前記凸面部と前記第２のパーツとの間に空間を形成している、
請求項１に記載の自動取引装置。
【請求項３】
前記第１のパーツは、半透明材料を含む、
請求項１に記載の自動取引装置。
【請求項４】
前記第１のパーツは、前記第２のパーツに対して着脱を可能にする締結部材を有している、
請求項１に記載の自動取引装置。
【請求項５】
前記自動取引装置は、
前記カード挿入口へのカード挿入時および前記カード挿入口からのカード排出時におけるカードを検知可能なセンサと、
前記センサのＯＮ時間に基づいて、前記センサによる検知可能範囲に異物が存在するか否かを判断する制御部と、
を備える、請求項１に記載の自動取引装置。
【請求項６】
前記制御部は、前記センサのＯＮ時間が所定の検知時間を超える場合に、前記検知可能範囲に異物が存在すると判断する、
請求項５に記載の自動取引装置。
【請求項７】
前記第１のパーツは、前記カード挿入口へのカード挿入時および前記カード挿入口からのカード排出時におけるカードの磁気ストライプに対向する面に、凹凸領域を有する、
請求項１に記載の自動取引装置。
【請求項８】
前記第１のパーツは、前記カード挿入口へのカード挿入時および前記カード挿入口からのカード排出時におけるカードの磁気ストライプの下方位置に、曲面を有する、
請求項１に記載の自動取引装置。
【請求項９】
前記第１のパーツは、凸面部を有しており、前記凸面部と前記基本面との境界に溝部を有する、
請求項１に記載の自動取引装置。
【請求項１０】
前記第１のパーツは、凸面部を有しており、前記凸面部にＲ形状を有する、
請求項１に記載の自動取引装置。
【請求項１１】
前記第１のパーツは、凸面部を有しており、前記凸面部に幾何学模様を有する、
請求項１に記載の自動取引装置。
【請求項１２】
前記第１のパーツは、前記カード挿入口へのカード挿入時および前記カード挿入口からのカード排出時におけるカードの手前側端部の下方位置に、指挿入用のくぼみ形状部を有する、
請求項１に記載の自動取引装置。
【請求項１３】
前記くぼみ形状部は、内側面が曲面を有している、
請求項１２に記載の自動取引装置。
【発明の詳細な説明】
【技術分野】
【０００１】
本発明は、自動取引装置に関する。
【背景技術】
【０００２】
従来、自動取引装置に設けられるカード挿入口は、自動取引装置の装置本体と一体的に形成されるのが一般的である。例えば、自動取引装置の装置本体にカード挿入口が直接的に形成される技術が開示されている（例えば、特許文献１参照）。
【先行技術文献】
【特許文献】
【０００３】
【特許文献１】特開２０１４−１６４３９８号公報
【発明の概要】
【発明が解決しようとする課題】
【０００４】
しかしながら、カード挿入口が自動取引装置の装置本体と一体的に形成される場合、カード挿入口の周辺にスキミングを防止するための構成を設けるのが困難である。そこで、カード挿入口の周辺にスキミングを防止するための構成を容易に設けることを可能とする技術が提供されることが望まれる。
【課題を解決するための手段】
【０００５】
上記問題を解決するために、本発明のある観点によれば、カード挿入口が設けられた第１のパーツと、前記第１のパーツが取り付けられる基本面を有する第２のパーツと、を備え、前記第１のパーツは、前記第２のパーツと別パーツによって構成される、自動取引装置が提供される。
【０００６】
前記第１のパーツは、凸面部を有しており、前記凸面部と前記第２のパーツとの間に空間を形成していてもよい。
【０００７】
前記第１のパーツは、半透明材料を含んでもよい。
【０００８】
前記第１のパーツは、前記第２のパーツに対して着脱を可能にする締結部材を有していてもよい。
【０００９】
前記自動取引装置は、前記カード挿入口へのカード挿入時および前記カード挿入口からのカード排出時におけるカードを検知可能なセンサと、前記センサのＯＮ時間に基づいて、前記センサによる検知可能範囲に異物が存在するか否かを判断する制御部と、を備えてもよい。
【００１０】
前記制御部は、前記センサのＯＮ時間が所定の検知時間を超える場合に、前記検知可能範囲に異物が存在すると判断してもよい。
【００１１】
前記第１のパーツは、前記カード挿入口へのカード挿入時および前記カード挿入口からのカード排出時におけるカードの磁気ストライプに対向する面に、凹凸領域を有してもよい。
【００１２】
前記第１のパーツは、前記カード挿入口へのカード挿入時および前記カード挿入口からのカード排出時におけるカードの磁気ストライプの下方位置に、曲面を有してもよい。
【００１３】
前記第１のパーツは、凸面部を有しており、前記凸面部と前記基本面との境界に溝部を有してもよい。
【００１４】
前記第１のパーツは、凸面部を有しており、前記凸面部にＲ形状を有してもよい。
【００１５】
前記第１のパーツは、凸面部を有しており、前記凸面部に幾何学模様を有してもよい。
【００１６】
前記第１のパーツは、前記カード挿入口へのカード挿入時および前記カード挿入口からのカード排出時におけるカードの手前側端部の下方位置に、指挿入用のくぼみ形状部を有してもよい。
【００１７】
前記くぼみ形状部は、内側面が曲面を有していてもよい。
【発明の効果】
【００１８】
以上説明したように本発明によれば、カード挿入口の周辺にスキミングを防止するための構成を容易に設けることを可能とする技術が提供される。
【図面の簡単な説明】
【００１９】
【図１】本発明の実施形態に係る自動取引装置（前面保守装置）の外観概略図である。
【図２】同実施形態に係るカード挿入口の周辺の正面図（その１）である。
【図３Ａ】同実施形態に係るカード挿入口の周辺の正面図（その２）である。
【図３Ｂ】図３Ａに示したＡ１−Ａ１断面矢視図である。
【図４Ａ】本発明の第２の実施形態に係るカード挿入口の周辺の正面図（その１）である。
【図４Ｂ】同実施形態に係るカード挿入口の周辺の右側面図である。
【図４Ｃ】図４Ａに示されたＡ２−Ａ２断面図である。
【図４Ｄ】図４Ａに示されたＢ２−Ｂ２断面図である。
【図５Ａ】同実施形態の第１の変形例に係るカード挿入口の周辺の正面図である。
【図５Ｂ】図５Ａに示されたＢ３−Ｂ３断面図である。
【図６Ａ】本発明の第２の実施形態の第２の変形例に係るカード挿入口の周辺の正面図である。
【図６Ｂ】図６Ａに示されたＢ４−Ｂ４断面図である。
【図７Ａ】同実施形態の第３の変形例に係るカード挿入口の周辺の正面図である。
【図７Ｂ】図７Ａに示されたＢ５−Ｂ５断面図である。
【図８Ａ】本発明の第３の実施形態に係るカード挿入口の周辺の正面図である。
【図８Ｂ】図８Ａに示されたＡ３−Ａ３断面矢視図である。
【図９】本発明の第４の実施形態に係るカード挿入口の周辺を斜め前方から観た概略斜視図である。
【図１０】同実施形態に係るカード挿入口の周辺の概略断面図である。
【図１１】カード挿入時におけるカード挿入口の周辺の概略平面図である。
【図１２Ａ】正常状態における待機時を示す図である。
【図１２Ｂ】正常状態における取引開始時を示す図である。
【図１２Ｃ】正常状態における取引中を示す図である。
【図１２Ｄ】正常状態における取引終了時を示す図である。
【図１３】スキマーが取り付けられた直後に取引が実行される場合を示す図である。
【図１４Ａ】スキマーが取引実行中に取り付けられて無線によってカードの磁気情報が盗み取られる場合における待機時を示す図である。
【図１４Ｂ】スキマーが取引実行中に取り付けられて無線によってカードの磁気情報が盗み取られる場合における取引実行時を示す図である。
【図１５】本発明の実施形態に係る自動取引装置の正面図である。
【図１６】本発明の実施形態に係る自動取引装置の背面図である。
【図１７】本発明の実施形態に係る自動取引装置の平面図である。
【図１８】本発明の実施形態に係る自動取引装置の底面図である。
【図１９】本発明の実施形態に係る自動取引装置の右側面図である。
【図２０】本発明の実施形態に係る自動取引装置の左側面図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２２】
（０．概要）
本発明の各実施形態を説明する前に、本発明の各実施形態の前提として、本発明の実施形態の概要について説明する。
【００２３】
図１は、本発明の実施形態に係る自動取引装置（前面保守装置）の外観概略図である。本発明の実施形態に係る自動取引装置１０は、制御部（図示せぬ）、装置本体１１、操作パネル１２および扉１３を備える。ここで、装置本体１１は、複数の主要機器を有している。また、操作パネル１２は、操作者による操作のためのパネルであり、カード挿入口２１、タッチパネル１５、第１の外部入力装置（ファンクションキー）（図示せぬ）、第２の外部入力装置（テンキー）１６、紙幣入出金口１７、レシート排出口１８およびディスプレイ１９を含む。
【００２４】
制御部（図示せぬ）は、専用の演算回路によって構成されてもよいし、自動取引装置１０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【００２５】
カードは、磁気ストライプおよびＩＣ（Ｉｎｔｅｇｒａｔｅｄ  Ｃｉｒｃｕｉｔ）を備えており、磁気ストライプおよびＩＣそれぞれには、各種情報が記録されている。操作者は、カード挿入口２１からカードを挿入し、タッチパネル１５または第１の外部入力装置（ファンクションキー）（図示せぬ）から取引を選択し、第２の外部入力装置（テンキー）１６を操作することによって、暗証番号および必要金額等の入力をし、紙幣入出金口１７から紙幣の入出金の手続きを行う。
【００２６】
取引内容が印字されたレシートは、レシート排出口１８から任意選択により受け取られ得る。なお、一連の取引手順は、上記した通りでなくてもよい。一般には、この一連の取引手順において、カードを挿入時に（または、カード返却時に）、入出金に必要なカードの磁気情報と、タッチパネル１５、第１の外部入力装置(ファンクションキー)(図示せぬ)、または第２の外部入力装置(テンキー)１６を介して入力される暗証番号とを第三者に搾取されてしまう可能性があった。
【００２７】
また、カードの磁気情報および暗証番号を第三者に搾取されてしまうことによって、第三者は、搾取した磁気情報が記録された偽造カード等を用い、搾取した暗証番号を用いて現金を不正に引き出すことが可能となるため（スキミングが可能となるため）、現金搾取の犯罪が多発していた。そこで、第三者によるスキミングの可能性を低減する技術が望まれている。
【００２８】
以上、本発明の実施形態の概要について説明した。
【００２９】
（１．第１の実施形態の説明）
続いて、本発明の第１の実施形態について説明する。
【００３０】
図２は、本発明の第１の実施形態に係るカード挿入口２１の周辺の正面図（その１）である。一般に、第三者がカード２２の磁気情報を搾取するためには、物理的にカード２２の磁気ストライプ２３の表面とスキマー２６とを接触させる必要があり、スキマー２６は、カード２２の磁気ストライプ２３の位置に合わせてカード挿入口２１に取り付けられていた。スキマー２６の検知には、分離型フォトセンサが利用されるのが一般的である。一方、カード２２の暗証番号の搾取は、カメラ等の映像記録装置（図示せぬ）を用いて行われるのが一般的である。
【００３１】
また、操作パネル１２および扉１３は、回転可能な蝶番等（図示せぬ）により装置本体１１に固定され、各機器の保守時等、必要に応じ開閉可能な構造を有している。しかし、操作パネル１２および扉１３は、鍵等（図示せぬ）により保安され、かつ、強固な構造を有しているため、第三者が容易に装置内部へアクセスすることはできない。つまり、一般的に、スキミング行為は、装置内部にアクセスすることなく、カード２２の磁気ストライプ２３に記録された磁気情報、およびカード２２の暗証番号を入手することにより、不正に現金を搾取することを可能としている。
【００３２】
図２を参照すると、本発明の第１の実施形態においては、カード挿入口２１が設けられた第１のパーツ（以下、「突起（凸面）形状部」とも言う。）２４Ａ、および、突起（凸面）形状部２４Ａが取り付けられる基本面を有する第２のパーツ（以下、「基本面部材」とも言う。）２５が示されている。基本面部材２５は、操作者の正面（例えば、自動取引装置１０の前面）に形成されている。
【００３３】
そして、突起（凸面）形状部２４Ａと基本面部材２５とが異なるパーツ（別パーツ）によって構成されている。かかる構成によれば、カード挿入口２１の周辺（すなわち、突起（凸面）形状部２４Ａ）にスキミングを防止するための構成を容易に設けることが可能となる。したがって、第三者によるスキミングの可能性を低減することが可能となる。
【００３４】
さらに、突起（凸面）形状部２４Ａと基本面部材２５とが異なるパーツ（別パーツ）によって構成されれば、突起（凸面）形状部２４Ａと基本面部材２５とに別の材料が使用され得る。例えば、突起（凸面）形状部２４Ａは、半透明材料を含んでもよい。これによって、半透明材料が含まれる部分にスキマー２６が取り付けられた際に操作者に違和感が与えられるため、カード２２の磁気ストライプ２３に記録された磁気情報の読み取り装置（以下、「スキマー」とも言う。）２６が容易に発見され得る。そのため、操作者に安心感を与えるとともに、第三者によるスキミングの可能性がより低減される。
【００３５】
分離型センサ（分離型フォトセンサ）２７による検知可能範囲２８には、異物（例えば、スキマー２６）が取り付けられてしまう可能性のある部分（例えば、操作者がカード２２の手前側端部を指でつまみながらカード２２を挿入するときに指が触れる部分）が含まれており、分離型センサ２７によって異物（例えば、スキマー２６）が検知可能となっている。ここでは、分離型センサ２７がスキマー２６を検知する最も有効なセンサの一つであるため、分離型センサ２７を用いる例を説明するが、分離型センサ２７の代わりに、他の特性を有する各種センサ（例えば、反射型センサ）が用いられてもよい。
【００３６】
なお、分離型センサ２７による検知が所定の検知時間を超えてなされた場合、異物があったと判断される。異物があった場合には、制御部（図示せぬ）によって所定の動作（例えば、エラーメッセージをディスプレイ１９に表示させる動作、自動取引装置１０を停止させる動作など）の実行が制御される。ここで、検知時間は、任意に設定されてよい。これによって、カード２２の挿入時または排出時において、指やカード２２が異物として誤検知されないようにすることが可能である。
【００３７】
また、カード挿入口２１の上方位置には、フリッカ２９が設けられており、フリッカ２９は、カード２２の挿入時または排出時等のタイミングにおいて、適宜に点滅してよい。
【００３８】
本発明の第１の実施形態について、さらに説明を続ける。図３Ａは、本発明の第１の実施形態に係るカード挿入口２１の周辺の正面図（その２）である。また、図３Ｂは、図３Ａに示したＡ１−Ａ１断面矢視図である。
【００３９】
図３Ａおよび図３Ｂに示すように、突起（凸面）形状部２４Ａの前面は、凸面部を形成している。そのため、第三者が突起（凸面）形状部２４Ａの前面にスキマーを取り付けようとする場合、凸面部にはスキマーを取り付けるのが困難である。また、第三者が突起（凸面）形状部２４Ａの模倣品を製造しようとしても、凸面部の模倣が困難である。したがって、突起（凸面）形状部２４Ａの前面に凸面部が形成されることによって、第三者によるスキミングの可能性が低減される。
【００４０】
また、図３Ａおよび図３Ｂに示すように、突起（凸面）形状部２４Ａの前面側に形成された凸面部と基本面部材２５との間に空間（例えば、上側空間３３および下側空間３４）が形成されている。かかる空間には、スキミングに対して有効な機能（例えば、妨害磁界ユニット（図示せぬ）、金属探知機（図示せぬ）等）を容易に実装することが可能であるため、スキマー２６の発見がより容易となる。また、かかる空間が存在すれば、突起（凸面）形状部２４Ａのみの変更によって、曲面薄型ディスプレイ等の新技術が適用され得る。
【００４１】
また、突起（凸面）形状部２４Ａは、基本面部材２５に対して着脱を可能にする締結部材を有している。具体的には、図３Ｂに示すように、突起（凸面）形状部２４Ａと基本面部材２５とは、締結部品３５（例えば、ねじ等）および締結構造３６（例えば、ツメ形状等）によって固定されている。そして、締結部品３５および締結構造３６は、突起（凸面）形状部２４Ａと基本面部材２５とを容易に分解可能である。
【００４２】
突起（凸面）形状部２４Ａと基本面部材２５とが容易に分解されることによって、自動取引装置１０が製品として出荷された後であっても、例えば、自動取引装置１０が設置された現地において、突起（凸面）形状部２４Ａに対する機能追加が容易となる。
【００４３】
また、突起（凸面）形状部２４Ａと基本面部材２５とが容易に分解されることによって、自動取引装置１０が設置された現地において、新たな犯罪技術に追従した機能追加を、必要最小限の部品の変更または追加によって実現可能となる。
【００４４】
さらに、突起（凸面）形状部２４Ａと基本面部材２５とが容易に分解されることによって、突起（凸面）形状部２４Ａの破損時に自動取引装置１０が設置された現地において、突起（凸面）形状部２４Ａを容易に交換することが可能となる。
【００４５】
以上、本発明の第１の実施形態について説明した。
【００４６】
（２．第２の実施形態の説明）
続いて、本発明の第２の実施形態について説明する。
【００４７】
先行技術文献（特開２００８−１５８７３９号公報）においては、カード挿入口の周辺の形状をくぼませ（凹ませ）、透明にすることによって、第三者によってカード下方に取り付けられるスキマーを操作者が目視にて確認できる構造が提案されている。しかし、当該構造では、カード挿入口の周辺のくぼませた（凹ませた）形状部分を（全て）覆い隠すように、スキマーが取り付けられてしまう可能性があった。
【００４８】
また、かかる構造では、カード挿入口の周辺のデザイン（外観）に一体感があるため、操作者はカード挿入口の周辺にスキマーが取り付けられていることに気付かずに、（入出金等の取引のために）カードを挿入してしまう可能性がある。そのため、かかる構造では、第三者によるスキミングがなされてしまう可能性がある。そこで、本発明の第２の実施形態においては、主にカード挿入口の周辺のデザインを工夫することによって、第三者によるスキミングの可能性を低減する技術を説明する。
【００４９】
図４Ａは、本発明の第２の実施形態に係るカード挿入口２１の周辺の正面図（その１）である。図４Ｂは、本発明の第２の実施形態に係るカード挿入口２１の周辺の右側面図である。図４Ｃは、図４Ａに示されたＡ２−Ａ２断面図である。図４Ｄは、図４Ａに示されたＢ２−Ｂ２断面図である。
【００５０】
図４Ａを参照すると、本発明の第２の実施形態においては、カード挿入口２１が設けられた突起（凸面）形状部２４Ｂ、および、突起（凸面）形状部２４Ｂが取り付けられる基本面を有する基本面部材２５が示されている。基本面部材２５は、操作者の正面（例えば、自動取引装置１０の前面）に形成されている。そして、本発明の第１の実施形態と同様に、本発明の第２の実施形態においても、突起（凸面）形状部２４Ｂと基本面部材２５とが異なるパーツ（別パーツ）によって構成されている。
【００５１】
分離型センサ２７による検知可能範囲２８には、異物（例えば、スキマー２６）が取り付けられてしまう可能性のある部分（例えば、操作者がカード２２の手前側端部を指でつまみながらカード２２を挿入するときに指が触れる部分）が含まれており、分離型センサ２７によって異物（例えば、スキマー２６）が検知可能となっている。ここでは、分離型センサ２７がスキマー２６を検知する最も有効なセンサの一つであるため、分離型センサ２７を用いる例を説明するが、分離型センサ２７の代わりに、他の特性を有する各種センサ（例えば、反射型センサ）が用いられてもよい。
【００５２】
なお、分離型センサ２７による検知が所定の検知時間を超えてなされた場合、異物があったと判断される。異物があった場合には、制御部（図示せぬ）によって所定の動作（例えば、エラーメッセージをディスプレイ１９に表示させる動作、自動取引装置１０を停止させる動作など）の実行が制御される。ここで、検知時間は、任意に設定されてよい。これによって、カード２２の挿入時または排出時において、指やカード２２が異物として誤検知されないようにすることが可能である。
【００５３】
また、カード挿入口２１の上方位置には、フリッカ２９が設けられており、フリッカ２９は、カード２２の挿入時または排出時等のタイミングにおいて、適宜に点滅してよい。
【００５４】
なお、図４Ｃを参照すると、カード排出時において、ステージ手前側位置に対するカード２２の奥行き量Ｘ１とカード２２の手前側端部の排出量Ｘ２とが示されている。カード排出時において、奥行き量Ｘ１と排出量Ｘ２とは適宜に調整されるのがよい。これについては、後の実施形態において説明する。
【００５５】
また、図４Ｄを参照すると、磁気ストライプとカード２２の端までの幅Ｘ３、磁気ストライプの幅Ｘ４、分離型センサ２７による検知可能範囲２８における所定の幅Ｘ５、Ｘ６は、適宜に調整されてよい。
【００５６】
突起（凸面）形状部２４Ｂには、何らかの処理が施されていてもよい。そうすれば、突起（凸面）形状部２４Ｂにスキマーが取り付けられた場合、カード挿入口２１の周辺の外観の違いにより、スキマーが取り付けられていることに気付きやすくなる。また、突起（凸面）形状部２４Ｂに何らかの処理が施されることによって、第三者によるスキミングの可能性が低減される。
【００５７】
図５Ａは、本発明の第２の実施形態の第１の変形例に係るカード挿入口２１の周辺の正面図である。図５Ｂは、図５Ａに示されたＢ３−Ｂ３断面図である。ただし、図５Ａは、スキマー２６が取り付けられる前におけるカード挿入口２１の周辺を示しており、図５Ｂは、スキマー２６が取り付けられた後におけるカード挿入口２１の周辺を示している。
【００５８】
図５Ａおよび図５Ｂに示したように、突起（凸面）形状部２４Ｃは、前面に凸面部を有しており、基本面部材２５は、前面に基本面を有している。また、突起（凸面）形状部２４Ｃは、凸面部と基本面との境界に、溝部（意匠溝）３２を有している。かかる構成によれば、第三者によってカード挿入口２１の全体を覆うようにスキマー２６が取り付けられた場合、スキマー２６によって溝部（意匠溝）３２の一部または全部が操作者から見えなくなる（あるいは、スキマー２６に設けられた溝部２６１が見えるようになるため、溝部（意匠溝）３２の位置または深さが変わったように見える）ため、カード挿入口２１の周辺の視覚的な違いによってスキマーの発見が可能となる。
【００５９】
図６Ａは、本発明の第２の実施形態の第２の変形例に係るカード挿入口２１の周辺の正面図である。図６Ｂは、図６Ａに示されたＢ４−Ｂ４断面図である。ただし、図６Ａは、スキマー２６が取り付けられる前におけるカード挿入口２１の周辺を示しており、図６Ｂは、スキマー２６が取り付けられた後におけるカード挿入口２１の周辺を示している。
【００６０】
図６Ａおよび図６Ｂに示したように、突起（凸面）形状部２４Ｄは、前面に凸面部を有しており、基本面部材２５は、前面に基本面を有している。また、突起（凸面）形状部２４Ｄは、凸面部にＲ形状４２を有している。かかる構成によれば、凸面部にエッジが出なないようにすることができるため、第三者によって凸面部にスキマー２６が取り付けられると、スキマー２６のエッジ２６２が見えるようになるため、凸面部に取り付けられたスキマー２６を発見しやすくなる。
【００６１】
図７Ａは、本発明の第２の実施形態の第３の変形例に係るカード挿入口２１の周辺の正面図である。図７Ｂは、図７Ａに示されたＢ５−Ｂ５断面図である。
【００６２】
図７Ａおよび図７Ｂに示したように、突起（凸面）形状部２４Ｅは、前面に凸面部を有しており、基本面部材２５は、前面に基本面を有している。また、突起（凸面）形状部２４Ｅは、凸面部に幾何学模様を有している。幾何学模様は、直線（または曲線）によって構成された規則的な模様であってよい。かかる構成によれば、凸面部にスキマーを取り付けようとする意欲を減退させることが可能となる。
【００６３】
なお、スキマー取り付け前後におけるカード挿入口２１の周辺の外観の変化は、タッチパネル１５によって表示されてもよい。そうすれば、スキマーの取り付けに対する注意喚起を促すことが可能になるため、スキマー取り付けの識別がより確実になされ得る。外観の変化の表示タイミングは特に限定されないが、各種取引開始前であるのがよい。
【００６４】
以上、本発明の第２の実施形態について説明した。
【００６５】
（３．第３の実施形態の説明）
続いて、本発明の第３の実施形態について説明する。
【００６６】
カード挿入口２１の周辺に取り付けられるスキマーの大きさは、極小化されつつあるため、スキマーの検知は困難になってきている。そのため、操作者はカード挿入口の周辺にスキマーが取り付けられていることに気付かずに、（入出金等の取引のために）カードを挿入してしまう可能性がある。そこで、本発明の第３の実施形態においては、カード挿入口２１の周辺に設けられる指挿入用の構成を工夫することによって、第三者によるスキミングの可能性を低減する技術を説明する。
【００６７】
図８Ａは、本発明の第３の実施形態に係るカード挿入口２１の周辺の正面図である。図８Ｂは、図８Ａに示されたＡ３−Ａ３断面矢視図である。
【００６８】
図８Ａを参照すると、本発明の第３の実施形態においては、カード挿入口２１が設けられた突起（凸面）形状部２４Ｆ、および、突起（凸面）形状部２４Ｆが取り付けられる基本面を有する基本面部材２５が示されている。基本面部材２５は、操作者の正面（例えば、自動取引装置１０の前面）に形成されている。そして、本発明の第１の実施形態と同様に、本発明の第３の実施形態においても、突起（凸面）形状部２４Ｆと基本面部材２５とが異なるパーツ（別パーツ）によって構成されている。
【００６９】
分離型センサ２７による検知可能範囲２８には、異物（例えば、スキマー２６）が取り付けられてしまう可能性のある部分（例えば、操作者がカード２２の手前側端部を指でつまみながらカード２２を挿入するときに指が触れる部分）が含まれており、分離型センサ２７によって異物（例えば、スキマー２６）が検知可能となっている。ここでは、分離型センサ２７がスキマー２６を検知する最も有効なセンサの一つであるため、分離型センサ２７を用いる例を説明するが、分離型センサ２７の代わりに、他の特性を有する各種センサ（例えば、反射型センサ）が用いられてもよい。
【００７０】
図８Ａおよび図８Ｂに示すように、突起（凸面）形状部２４Ｆは、カード挿入口２１へのカード２２の挿入時およびカード挿入口２１からのカード２２の排出時におけるカードの手前側端部の下方位置に、指挿入用のくぼみ形状部５１を有している。
【００７１】
かかる構成によれば、くぼみ形状部５１にスキマーが取り付けられた場合、くぼみ形状部５１への指挿入がスキマーによって妨げられるため、操作者はくぼみ形状部５１へのスキマーの取り付けに容易に気付くことが可能となる。また、かかる構成によれば、カード挿入口２１へのカード２２の挿入時およびカード挿入口２１からのカード２２の排出時における操作性が害されることなく、第三者によるスキミングを１００％近く防止することが可能となる。
【００７２】
カード２２の排出時におけるカード２２の手前側端部の排出量Ｘ２は、くぼみ形状部５１の位置に応じて設定されるのがよい（例えば、図８Ｂに示すように、くぼみ形状部５１の上方にカード２２の手前側端部が位置するように設定されるのがよい）。そうすれば、カード２２の取り出し時に、くぼみ形状部５１に指を挿入する必要が生じるため、同様にして操作者はくぼみ形状部５１へのスキマーの取り付けに容易に気付くことが可能である。
【００７３】
突起（凸面）形状部２４Ｆは、くぼみ形状部５１を包むように形成されているのがよい。かかる場合には、くぼみ形状部５１へのスキマーの取り付けが困難となる。また、くぼみ形状部５１は、内側面が曲面を有しているのがよい。かかる場合には、くぼみ形状部５１の内側面へのスキマーの取り付けが困難となる。さらに、くぼみ形状部５１のサイズは、極小（例えば、３本の短辺それぞれが１０ｍｍである三角錐状のくぼみ）であるのがよい。かかる場合には、くぼみ形状部５１へのスキマーの取り付けが困難となる。
【００７４】
以上、本発明の第３の実施形態について説明した。
【００７５】
（４．第４の実施形態の説明）
続いて、本発明の第４の実施形態について説明する。ここで、スキマーを検出するために、上記のような分離型フォトセンサを用いた場合、発光側素子と受光側素子とを個別に対で配置する必要がある。そのため、分離型フォトセンサを配置可能なスペースがない等といった実装上の制約の関係で、読み取り装置の検知機能を実装できない場合があった。一方、省スペースで実装可能な反射型フォトセンサを単独で用いた場合、反射型フォトセンサの特性上、分離型フォトセンサのみでは、スキマーを１００％検知することができなかった。
【００７６】
図９は、本発明の第４の実施形態に係るカード挿入口２１の周辺を斜め前方から観た概略斜視図である。
【００７７】
図９を参照すると、本発明の第４の実施形態においては、カード挿入口２１が設けられた突起（凸面）形状部２４Ｇが示されている。また、本発明の第４の実施形態においても、他の実施形態と同様に、突起（凸面）形状部２４Ｇが取り付けられる基本面を有する基本面部材が設けられていてよく、突起（凸面）形状部２４Ｇと基本面部材とが異なるパーツ（別パーツ）によって構成されていてよい。
【００７８】
図１０は、本発明の第４の実施形態に係るカード挿入口２１の周辺の概略断面図である。図１０を参照すると、本発明の第４の実施形態においては、カード挿入口２１の周辺に、反射型センサ（反射型フォトセンサ）６１が設けられている。なお、ここでは、省スペースでの実装を考慮して、反射型センサ６１が設けられる例を説明するが、反射型センサ６１の代わりに、他の特性を有する各種センサ（例えば、分離型センサ）が用いられてもよい。
【００７９】
反射型センサ６１は、その検知可能範囲２８が、カード挿入口２１へのカード挿入時およびカード挿入口２１からのカード排出時における磁気ストライプ（図示せぬ）を覆うように配置される。これによって、カード挿入口２１へのカード挿入時およびカード挿入口２１からのカード排出時に磁気ストライプ（図示せぬ）に記録された磁気情報を読み取ろうとするスキマー２６が取り付けられることを防止することが可能である。
【００８０】
また、反射型センサの中には、至近距離を検知することができないという特性を有する反射型センサが存在し得る。図１０に示した例において、反射型センサ６１は、検知可能範囲２８を有する反面、自身からの至近距離に検知不可能範囲６６を有している。このとき、図１０に示すように、反射型センサ６１の検知機能を害さず、かつ、検知不可能範囲６６へのスキマー２６の取り付けを防止するため、半透明部材６３を配置することによって、至近距離を検知することができないセンサの短所を克服することが可能となる。ただし、反射型センサ６１の特性によっては、半透明部材６３は配置されなくてもよい。
【００８１】
また、カード挿入口２１の周辺には、スキマー２６が取り付けられることを防ぐために、凹凸領域が設けられるのがよい。カード２２の磁気ストライプ２３の位置とカード２２をつまむように操作する際に指（の先端）が触れる箇所（図１１における指接触部７５）とを考慮すれば、凹凸領域の形状および配置のパターンとしては、様々なパターンが想定され得る。
【００８２】
図１１は、カード挿入時におけるカード挿入口の周辺の概略平面図である。図１１を参照すると、カード挿入口へのカード挿入時（およびカード挿入口からのカード排出時）においてカード２２の磁気ストライプ２３に対向する面には、凹凸面７１が設けられている。凹凸面７１が設けられることによって、凹凸面７１にスキマー２６が取り付けられることが防止される。
【００８３】
図１１を参照すれば、凸部の最小配置パターンとして、磁気ストライプ２３の中央部に１つ（中央凸部７４）、磁気ストライプ２３の左右に各１つ（左側凸部７２および右側凸部７３）が配置すれば、スキマー２６の取り付け防止の必要最低限の効果を得ることが可能であると言える。
【００８４】
また、図１１を参照すると、カード挿入口へのカード挿入時（およびカード挿入口からのカード排出時）においてカード２２の磁気ストライプ２３の下方位置には、曲面７６が設けられている。曲面７６が設けられることによって、曲面７６にスキマー２６が取り付けられることが防止される。
【００８５】
凹凸面７１は、磁気ストライプ２３の位置のみを考慮するのではなく、外観性を考慮して規則的に配置されてもよい。また、曲面７６の形状としては、スキマー（図示せぬ）が容易に取り付けられないように、２次曲面（ねじれ面）を採用するのが最善であると言える。また、凹凸面７１および曲面７６は、幾何学的または不規則に配置されることによって、スキミング防止の効果がより高まることが期待される。
【００８６】
なお、反射型センサ６１による検知が所定の検知時間を超えてなされた場合、異物があったと判断される。異物があった場合には、制御部（図示せぬ）によって所定の動作（例えば、エラーメッセージをディスプレイ１９に表示させる動作、自動取引装置１０を停止させる動作など）の実行が制御される。ここで、検知時間は、任意に設定されてよい。これによって、カード２２の挿入時または排出時において、指やカード２２が異物として誤検知されないようにすることが可能である。
【００８７】
続いて、検知時間設定のより詳細な例について説明する。例えば、入出金の取引時においては、カード挿入口２１にカード２２が近づけられ、カード２２の挿入および排出の一連の動作が実行される。この一連の動作においては、所定の時間（数秒〜数十秒）、カード２２が検知可能範囲２８を通過する必要があるが、検知可能範囲２８に異物が存在するか否かに応じて、反射型センサ６１が検知状態（以下「センサＯＮ」とも言う。）となる時間が相違することになる。
【００８８】
したがって、制御部（図示せぬ）は、センサＯＮ時間に基づいて、検知可能範囲２８に異物（例えば、スキマー２６など）が存在するか否かを判断すればよい。
【００８９】
例えば、センサＯＮ時間が所定の検知時間を超えれば、検知可能範囲２８に異物（例えば、スキマー２６など）があったと判断される。一方、センサＯＮ時間が所定の検知時間を超えなければ、検知可能範囲２８に異物（例えば、スキマー２６など）がないと判断される。このようにして、カード挿入時およびカード排出時におけるカード２２の検知と異物（例えば、スキマー２６など）検知との区別が可能となる。
【００９０】
所定の検知時間は、各種取引時間に応じて任意に設定されてよい。なお、制御部（図示せぬ）は、検知可能範囲２８に異物（例えば、スキマー２６など）が存在すると判断した場合、所定のエラー動作の実行を制御すればよい。例えば、所定のエラー動作としては、カード２２から読み取られた情報の関連データを凍結させる動作であってもよいし、カード２２を装置内に取り込む動作（操作者にカード２２を返却しない動作）であってもよい。このようなエラー動作によって、スキミング効果の向上が実現され得る。
【００９１】
ここで、スキマー２６が取り付けられる異常状態として、例えば、スキマー２６が取り付けられた直後に取引が実行される場合と取引実行中にスキマー２６から無線によってカード２２の磁気情報が盗み取られる場合とが想定される。以下、スキマー２６が取り付けられない正常状態について説明した後、これらの異常状態について説明する。
【００９２】
まず、スキマー２６が取り付けられない正常状態について説明する。図１２Ａは、正常状態における待機時を示す図である。図１２Ｂは、正常状態における取引開始時を示す図である。図１２Ｃは、正常状態における取引中を示す図である。図１２Ｄは、正常状態における取引終了時を示す図である。
【００９３】
図１２Ａに示すように、正常状態における待機時には、スキマー２６が取り付けられないため、反射型センサ６１は、ＯＦＦ状態である（何も検知しない）。
【００９４】
続いて、図１２Ｂに示すように、正常状態における取引開始時には、カード２２がカード挿入口２１に挿入され、反射型センサ６１によって検知されるため、反射型センサ６１は、ＯＮ状態となる。センサＯＮ状態は暫く続くことになる（例えば、センサＯＮ時間は数十秒であってよい）。
【００９５】
続いて、図１２Ｃに示すように、正常状態における取引中においては、カード２２が装置内部に取り込まれるため、反射型センサ６１は、ＯＦＦ状態となる（何も検知しない）。センサＯＦＦ状態は暫く続くことになる（例えば、センサＯＦＦ時間は数十秒であってよい）。
【００９６】
続いて、図１２Ｄに示すように、正常状態における取引終了時においては、カード２２がカード挿入口２１に挿入され、反射型センサ６１によって検知されるため、反射型センサ６１は、ＯＮ状態となる。センサＯＮ状態は暫く続くことになる（例えば、センサＯＮ時間は数十秒であってよい）。
【００９７】
続いて、スキマー２６が取り付けられる異常状態について説明する。図１３は、スキマー２６が取り付けられた直後に取引が実行される場合を示す図である。
【００９８】
図１３に示した例では、カード挿入前からセンサＯＮ時間が開始されるため、スキマー２６が取り付けられない正常状態と比較して、センサＯＮ時間が長くなる。したがって、制御部（図示せぬ）は、センサＯＮ時間が所定の検知時間を超える場合に、検知可能範囲２８に異物が存在すると判断してよい。
【００９９】
図１４Ａは、スキマー２６が取引実行中に取り付けられて無線によってカード２２の磁気情報が盗み取られる場合における待機時を示す図である。図１４Ｂは、スキマー２６が取引実行中に取り付けられて無線によってカード２２の磁気情報が盗み取られる場合における取引実行時を示す図である。
【０１００】
図１４Ａおよび図１４Ｂに示した例では、取引実行中においてもセンサＯＮ状態となるため、スキマー２６が取り付けられない正常状態と比較して、センサＯＮ時間が長くなる。したがって、制御部（図示せぬ）は、センサＯＮ時間が所定の検知時間を超える場合に、検知可能範囲２８に異物が存在すると判断してよい。
【０１０１】
以上、本発明の第４の実施形態について説明した。
【０１０２】
（５．六面図の説明）
続いて、本発明の実施形態に係る自動取引装置１０の六面図について説明する。図１５は、本発明の実施形態に係る自動取引装置１０の正面図である。図１６は、本発明の実施形態に係る自動取引装置１０の背面図である。図１７は、本発明の実施形態に係る自動取引装置１０の平面図である。図１８は、本発明の実施形態に係る自動取引装置１０の底面図である。図１９は、本発明の実施形態に係る自動取引装置１０の右側面図である。図２０は、本発明の実施形態に係る自動取引装置１０の左側面図である。図１５〜図２０に示された自動取引装置１０は、上記した各実施形態に適用され得る。
【０１０３】
（６．まとめ）
本発明の実施形態によれば、カード挿入口２１が設けられた突起（凸面）形状部２４Ａと、突起（凸面）形状部２４Ａが取り付けられる基本面を有する基本面部材２５と、を備える、自動取引装置１０が提供される。かかる構成によれば、カード挿入口２１の周辺（すなわち、突起（凸面）形状部２４Ａ）にスキミングを防止するための構成を容易に設けることが可能となる。したがって、第三者によるスキミングの可能性を低減することが可能となる。
【０１０４】
さらに、突起（凸面）形状部２４Ａと基本面部材２５とが異なるパーツ（別パーツ）によって構成されれば、突起（凸面）形状部２４Ａと基本面部材２５とに別の材料が使用され得る。例えば、突起（凸面）形状部２４Ａは、半透明材料を含んでもよい。これによって、半透明材料が含まれる部分にスキマー２６が取り付けられた際に操作者に違和感が与えられるため、スキマー２６が容易に発見され得る。そのため、操作者に安心感を与えるとともに、第三者によるスキミングの可能性がより低減される。
【０１０５】
なお、カード２２の磁気ストライプ２３の位置は規格化されており、第三者でも容易に磁気ストライプの位置情報を入手することが可能である。その反面、磁気ストライプ２３の位置が規格化されていることから、スキミング対策を講じるべき範囲は明確であり、その範囲に基づいてスキミング対策を講じれば、ほぼ１００％スキミングを防止することが可能であると言える。
【０１０６】
（７．変形例）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
例えば、上記では、本発明の第１の実施形態以外においても、本発明の第１の実施形態と同様に、突起（凸面）形状部の前面が凸面である例を説明した。しかし、本発明の第１の実施形態以外においては、突起（凸面）形状部の前面は凸面でなくてもよく、平面であってもよい。また、本発明の第１の実施形態以外においては、突起（凸面）形状部と基本面部材とは同一部材（同一パーツ）によって構成されてもよい（すなわち、突起（凸面）形状部は、装置本体と一体化されていてもよい）。
【０１０８】
また、上記では、本発明の第１の実施形態から本発明の第４の実施形態までを順に説明した。これらの本発明の第１の実施形態から本発明の第４の実施形態それぞれは、単独でも用いられ得るが、本発明の第１の実施形態から本発明の第４の実施形態までのいずれかの構成同士が適宜に組み合わされて用いられてもよい。
【０１０９】
また、上記では、自動取引装置１０を例に用いて説明したが（より詳細には、現金自動預金支払機を例に用いて説明したが）、本発明の実施形態が適用される装置の種類は、特に限定されない。例えば、本発明の実施形態は、磁気ストライプを有するカードを取り扱う各種装置に対して適用され得る。
【符号の説明】
【０１１０】
１０    自動取引装置
１１    装置本体
１２    操作パネル
１３    扉
１５    タッチパネル
１７    紙幣入出金口
１８    レシート排出口
１９    ディスプレイ
２１    カード挿入口
２２    カード
２３    磁気ストライプ
２４Ａ〜２４Ｇ  形状部
２５    基本面部材
２６    スキマー
２７    分離型センサ
２８    検知可能範囲
２９    フリッカ
３３    上側空間
３４    下側空間
３５    締結部品
３６    締結構造
４２    Ｒ形状
５１    くぼみ形状部
６１    反射型センサ
６３    半透明部材
６６    検知不可能範囲
７１    凹凸面
７２    左側凸部
７３    右側凸部
７４    中央凸部
７６    曲面
【図１】
2018010600.tif 000003
【図２】
2018010600.tif 000004
【図３Ａ】
2018010600.tif 000005
【図３Ｂ】
2018010600.tif 000006
【図４Ａ】
2018010600.tif 000007
【図４Ｂ】
2018010600.tif 000008
【図４Ｃ】
2018010600.tif 000009
【図４Ｄ】
2018010600.tif 000010
【図５Ａ】
2018010600.tif 000011
【図５Ｂ】
2018010600.tif 000012
【図６Ａ】
2018010600.tif 000013
【図６Ｂ】
2018010600.tif 000014
【図７Ａ】
2018010600.tif 000015
【図７Ｂ】
2018010600.tif 000016
【図８Ａ】
2018010600.tif 000017
【図８Ｂ】
2018010600.tif 000018
【図９】
2018010600.tif 000019
【図１０】
2018010600.tif 000020
【図１１】
2018010600.tif 000021
【図１２Ａ】
2018010600.tif 000022
【図１２Ｂ】
2018010600.tif 000023
【図１２Ｃ】
2018010600.tif 000024
【図１２Ｄ】
2018010600.tif 000025
【図１３】
2018010600.tif 000026
【図１４Ａ】
2018010600.tif 000027
【図１４Ｂ】
2018010600.tif 000028
【図１５】
2018010600.tif 000029
【図１６】
2018010600.tif 000030
【図１７】
2018010600.tif 000031
【図１８】
2018010600.tif 000032
【図１９】
2018010600.tif 000033
【図２０】
2018010600.tif 000034